(57)【要約】      （修正有）【課題】現在のマウスには画面スクロール用ロールが付いてロール回転だけで画面スクロールが可能であるが、マウスポインター（矢印マーク）だけはマウス自体を移動させないとマウスポインターは移動出来ない。机上ではない膝上での操作は衣服の凹凸の為、円滑操作は困難な状況である。肩や手を伸ばさず凹凸のある衣服の上であっても手元の場所で楽な姿勢でマウス操作をし肩こり防止をしようとするものである。【解決手段】手のひらサイズのマウス用下敷を下敷四隅に付けた紐でマウス本体と結びマウスと下敷を一体化させ膝上の衣服凹凸部であってもマウス操作を容易にする。またコンピュータ操作による肩こり防止として肘掛椅子の採用が増えている。この様な肘掛椅子の肘掛部に手のひらサイズのマウス用下敷をバンド固定することにより手元でのマウス操作を可能とする。【選択図】図６
0003133121.tif 000002
【実用新案登録請求の範囲】
【請求項１】
手のひらサイズの下敷を着脱出来る紐でコンピュータ操作用マウスと結び、マウスと一体化させ机上でも膝上でも操作出来るようにしたマウス手元操作用下敷。
【請求項２】
手のひらサイズの下敷に肘掛椅子の肘にバンド固定出来る突起部を設け肘掛椅子の肘上でコンピュータ操作用マウスを操作出来るようにしたマウス手元操作用下敷。
【考案の詳細な説明】
【技術分野】
【０００１】  本考案はコンピュータ操作マウス用の下敷に関するものである。
【背景技術】
【０００２】  マウス用下敷は机上で使う構造になっている為、キーボード操作と同じ姿勢でマウス操作を行い肩や手首の疲労原因を招いている。しかしＧＵＩ（ｇｒａｐｈｉｃａｌ  ｕｓｅｒ  ｉｎｔｅｒｆａｃｅ）技術の発展に伴いコンピュータ操作は視覚化され、マウスだけで大半は指令、操作出来るようになってきている。インターネット閲覧においてはパスワードを除けばキーボード操作することなくマウスだけで閲覧出来る状況となっている。
キーボード主体操作からマウス主体操作への装置環境の変更が必要と考えられた。
【考案の開示】
【考案が解決しようとする課題】
【０００３】  現在、マウスにはローラ式と光学式とがあり、また更に画面スクロール用のロールが付いているものがありマウス移動させずにロール回転だけで画面スクロール可能となっているが、マウスポインター（矢印マーク）だけはマウス自体を移動させないとマウスポインターは移動出来ない。
机上ではない膝上での操作は衣服の凹凸の為、円滑操作は困難な状況である。光学式でないローラ式マウスの場合は特に困難な状態にある。
肩や手を伸ばさず凹凸のある衣服の上であっても手元の場所で楽な姿勢でマウス操作をしようとするものである。
【課題を解決するための手段】
【０００４】  手のひらサイズのマウス用下敷を作り、下敷の四隅に紐を付け、この紐をマウス本体に結び付けることによりマウスと下敷を一体化させる。紐の長さは手のひら幅分あれば画面全体をカバー出来る移動距離は確保出来る。また手のひらサイズの下敷下側には手首関節が載る分の突起部を設け手首固定、手首疲労を防止する形状とする。そしてマウス本体をつかみ膝上に持って来ることによりマウスと一体化された下敷も膝上に来るので凹凸衣服の上でも操作出来るようになる。
また最近はコンピュータ操作による肩こり防止として肘掛椅子や肘掛構造のＯＡチェアーの採用が増えている。この様な肘掛椅子を使っている場合は前述の手首関節部用突起を肘掛椅子の肘掛部にあててバンド固定することにより手元でのマウス操作が可能となり課題の解決が出来る。
【考案の効果】
【０００５】  マウス本体と下敷が一体となっている為、手元でマウス操作が出来、操作性が向上した。また肘掛椅子での操作は更に操作性が向上した。また肘掛椅子利用時はマウス本体と下敷を結ぶ紐がなくても操作出来るのでより快適な操作が可能となった。
【考案を実施するための最良の形態】
【０００６】  マウス用下敷部は平坦形状とし表面はローラ式マウスの為に滑り止め材質を用いまた図柄は光学式マウスの識別精度向上の為にランダムな細線図柄がよい。また手首関節部用突起部は肘掛椅子への固定部も兼ねている為、滑り止め材質で堅牢なものがよい。マウス用下敷とマウス本体とを結び付けている紐は柔らかい材質なものとし、また紐の着脱が容易に出来るように紐の両端に着脱金具を施しておく。また手首関節部用突起部の位置は中心よりずらし裏返して使う事により左利き用とすることが出来る。
【実施例】
【０００７】  以下添付図面に従ってマウス手元操作用下敷の実施例を説明する。
図１で示す手のひらサイズの板状下敷を用意し、下敷の四隅の穴ないしは切り込みに図４で示す紐を通し、紐の先端にはマウス本体に結び付ける為の引っ掛け金具を付けておく。マウス本体の四隅にはこの引っ掛け金具を受ける為のループ状金具を予め取り付けおき、天秤はかりのように下敷四隅からの紐を取り付けて下敷とマウス本体を一体化し、使用するものである。
この一体化されたマウス本体を膝上に運ぶと紐にぶら下がった下敷がまず膝上の衣服の上になり、その下敷の上にマウス本体が載った状態となり、膝上衣服の凹凸を下敷が遮断しマウス本体は下敷の平坦部で操作出来ることとなる。
膝上と云う手元操作となる為、楽な姿勢操作になり手首や肩への負担が軽減する。【０００８】  肘掛椅子に座ってのマウス操作は更に楽な姿勢での操作が可能となる。図１で示す手のひらサイズの下敷の下側突起部を肘掛椅子の肘部にあて図５で示すバンドを用いて肘部に固定して使用するものである。
肘掛椅子利用の場合には図４の紐は使用しても、しなくてもよい。
尚、人の手首は外側に大きく曲がるが内側にはさほど曲がらないので下敷下側の突起部の横中心はずらして右側領域を広くしている。左利きの人が使う時は下敷を裏返して使うと左側領域が広くなるようにしてある。
【産業上の利用可能性】
【０００９】  ＧＵＩ（ｇｒａｐｈｉｃａｌ  ｕｓｅｒ  ｉｎｔｅｒｆａｃｅ）技術は更に発展しコンピュータ操作は視覚化され、今以上にマウスだけで指令、操作出来るようになる。また他方老齢化が進み老眼人口が増え画面から遠ざかって操作しようとするので手元でのマウス操作が要求される。
また若年層にとっても近視予防の為に画面から遠ざかっての操作がよい。
老人、熟年層のコンピュータ活用、インターネット活用への操作環境支援による社会貢献、若年層の眼精健康に寄与すると考える。
【図面の簡単な説明】
【００１０】
【図１】  マウス手元操作用下敷  本体を示す平面図である
【図２】  マウス手元操作用下敷  本体を示す正面図である
【図３】  マウス手元操作用下敷  本体を示す側面図である
【図４】  マウス手元操作用下敷  と  マウス本体  を結ぶ紐を示す斜視図である
【図５】  マウス手元操作用下敷  を  肘掛椅子に固定するバンドの斜視図である
【図６】  マウス手元操作用下敷のマウス紐結びと肘掛椅子取付を示した図である
【図７】  当考案以外の通常下敷での使用例図である
【図８】  マウス手元操作用下敷を膝上で使用した時の使用例図である
【図９】  マウス手元操作用下敷を肘掛椅子に固定し使用した時の使用例図である
【符号の説明】
【００１１】１    マウス手元操作用下敷  本体
２    マウス操作用平坦部
３    マウス連結用紐くくり付け用穴、切り込み部
４    手首関節部用突起  兼  肘掛椅子固定用突起部
５    肘掛椅子固定バンドへの取り付けピン
６    マウス連結用紐  本体
７    紐部
８    下敷連結部末端処理部
９    マウス連結用引っ掛け金具部
１０  マウス受け金具部
１１  マウス受け金具マウス本体接着部
１２  肘掛椅子固定バンド  本体
１３  バンド部
１４  下敷固定受金具
１５  マジックテープ凸部
１６  マジックテープ凹部
１７  固定補助紐
【図１】
0003133121.tif 000003
【図２】
0003133121.tif 000004
【図３】
0003133121.tif 000005
【図４】
0003133121.tif 000006
【図５】
0003133121.tif 000007
【図６】
0003133121.tif 000008
【図７】
0003133121.tif 000009
【図８】
0003133121.tif 000010
【図９】
0003133121.tif 000011
【手続補正書】
【提出日】平成19年3月15日(2007.3.15)
【手続補正１】
【補正対象書類名】明細書
【補正対象項目名】００１１
【補正方法】変更
【補正の内容】
【００１１】１    マウス手元操作用下敷  本体
２      マウス操作用平坦部
３      マウス連結用紐くくり付け用穴、切り込み部
４      手首関節部用突起  兼  肘掛椅子固定用突起部
５      肘掛椅子固定バンドへの取り付けピン
６    マウス連結用紐  本体
７      紐部
８      下敷連結部末端処理部
９      マウス連結用引っ掛け金具部
１０    マウス受け金具部
１１    マウス受け金具マウス本体接着部
１２  肘掛椅子固定バンド本体
１３    バンド部
１４    下敷固定受金具
１５    マジックテープ（登録商標）接着面凸部
１６    マジックテープ（登録商標）接着面凹部
１７    固定補助紐